(57)【特許請求の範囲】
【請求項１】
灯具本体内にランプを装備し、該灯具本体前面の透光開口に該透光開口を閉塞すると共に光を透過させる保護パネルを配設し、該保護パネルの前方側への移動を規制する規制凸部を内周面に突設した大略環状の前面枠を前記透光開口に嵌合して成る照明器具において、
前記規制凸部の突出方向内側に該規制凸部の前後方向厚みより厚い付加機能用透光パネルを前記保護パネルに接するように配設し、前記規制凸部の前方側に溝部を設けるとともに、前記付加機能用透光パネルを前方側から押圧係止する係止バネを前記溝部に係合配設したことを特徴とする照明器具。
【発明の詳細な説明】
【０００１】
【発明の属する技術分野】
本発明は、被照射面の特定の領域を照射するスポットライト等の照明器具に関する。
【０００２】
【従来の技術】
従来の技術を図５を用いて説明する。図５は照明器具の一部破断した側面図である。
【０００３】
図５に示す照明器具は、灯具本体１、ランプに相当するミニハロゲン電球２、反射鏡３、保護パネル４、付加機能用透光パネル５、前面枠６を有して構成してある。
【０００４】
灯具本体１は大略円筒体であって、一端部に投光開口部１ａを有し、他端部１ｂがアーム７に軸支され照射方向を自在に変更することができるようになされている。
【０００５】
ミニハロゲン電球２は、灯具本体１内部の灯具本体１の中心線Ｌ１上に位置するように配設されている。
【０００６】
反射鏡３は、ミニハロゲン電球２の側方及び後方を覆って前面投光開口部３ａから光を前方へ照射するものである。
【０００７】
保護パネル４は、ミニハロゲン電球２及び反射鏡３の前方であって、灯具本体１の投光開口部１ａを閉塞するようにして灯具本体１に設けてある。保護パネル４は、ミニハロゲン電球２が破損した場合でも該破損による破片が灯具本体１の外部に飛散することを防止するものである。
【０００８】
付加機能用透光パネル５は、ミニハロゲン電球２及び反射鏡３の前方であって、更に保護パネル４より前方であって、保護パネル４を覆うようにして灯具本体１に設けてある。付加機能用透光パネル５は、具体的には、カラーフィルターや色温度変換フィルター、熱線カットフィルター等である。
【０００９】
そして、投光する前に予め所望の付加機能用透光パネル５を取り付けておくことにより、所望の配光を得ることができるようになされている。
【００１０】
【発明が解決しようとする課題】
ところで、保護パネル４は、器具本体１の透光開口部１ａに嵌合した前面枠６の内側面から突出した凸部６ａのミニハロゲン電球２配設側（後方側）の側面でもって押さえつけられて、前方に脱落しないようになされている。一方、付加機能用透光パネル５は係止バネ８によって前記凸部６ａの前記側面と反対側の透光方向側側面に押さえつけられて、脱落しないようになされている。
【００１１】
従って、保護パネル４と付加機能用透光パネル５との互いに対向する面の間には凸部６ａが介在しており、両面間には凸部６ａの厚みの空気層Ａが存在する。
【００１２】
この空気層Ａは断熱層としての作用を有するため、従来の照明器具にあっては、灯具本体内に生じた熱を保護パネル４側から放熱することが妨げられ、灯具本体内の温度が上昇するという問題点があった。
【００１３】
本発明は、上記問題点を改善するために成されたもので、その目的とするところは、灯具本体の温度上昇を抑制することができる照明器具を提供することにある。
【００１４】
【課題を解決するための手段】
本発明は上記の問題を解決するために、請求項１記載の発明にあっては、灯具本体内にランプを装備し、該灯具本体前面の透光開口に該透光開口を閉塞すると共に光を透過させる保護パネルを配設し、該保護パネルの前方側への移動を規制する規制凸部を内側面に突設した大略環状の前面枠を前記透光開口に嵌合して成る照明器具において、前記規制凸部の突出方向内側に該規制凸部の前後方向厚みより厚い付加機能用透光パネルを前記保護パネルに接するように配設し、前記規制凸部の前方面近傍に溝部を設けるとともに、前記付加機能用透光パネルを前方側から押圧係止する係止バネを前記溝部に係合配設したことを特徴とするものである。
【００１５】
【発明の実施の形態】
本発明の実施の形態を図１〜図４を用いて説明する。図１は照明器具の一部破断した側面図である。図２は照明器具の要部断面図である。図３は係止バネの正面図である。図４は照明器具の正面図である。
【００１６】
図１に示す照明器具は、灯具本体９、ランプに相当するミニハロゲン電球１０、反射鏡１１、保護パネル１２、付加機能用透光パネル１３、前面枠１４、係止バネ１５を有して構成してある。
【００１７】
灯具本体９は大略円筒体であって、一端部に透光開口部９ａを有し、他端部９ｂがアーム１６に軸支され照射方向を自在に変更することができるようになされている。
【００１８】
ミニハロゲン電球１０は、灯具本体９内部の灯具本体９の中心線Ｌ２上に位置するように配設されている。
【００１９】
反射鏡１１は、ミニハロゲン電球１０の側方及び後方を覆って前面投光開口部１０ａから光を投光方向側（以下、前方側と記す）へ照射するものである。
【００２０】
保護パネル１２は、ミニハロゲン電球１０及び反射鏡１１の前方側であって、灯具本体９の投光開口部１ａを閉塞するようにして灯具本体９に設けてある。保護パネル１２のミニハロゲン電球１０側（以下、後方側と記す）の面の周縁部は、図２に示すように、灯具本体９の内側面から内方に向けて立設される規制片９ｃに当接して、保護パネル１２は後方側へ移動しないようになされている。この保護パネル４は、ミニハロゲン電球１０が破損した場合でも該破損による破片が灯具本体１の外部に飛散することを防止するものである。
【００２１】
前面枠１４は灯具本体９の透光開口部９に嵌合する大略円環状の枠体であって、内側面に内方に向けて規制凸部１４ａが設けてある。そして、規制凸部１４ａは規制凸部１４ａの後方側の面でもって、保護パネル１２を押圧し、保護パネル１２の前方側への移動を規制する。また、前面枠１４の規制凸部１４ａの前方側には係止バネ１５が嵌合する溝部１４ｂが刻設されている。
【００２２】
付加機能用透光パネル１３は、ミニハロゲン電球１０及び反射鏡１１の前方であって、図２に示すように、規制凸部１４ａの内方側に、保護パネル１２に接するようにして設けてある。付加機能用透光パネル１３は、具体的には、カラーフィルターや色温度変換フィルター、熱線カットフィルター等である。
【００２３】
係止バネ１５は、図３に示すように、略円環状をなした直径１．８［ｍｍ］のピアノ線であって、両端部が折り曲げられてツマミ部１５ａ，１５ａとなされ、またその途中部分で内方側に折り曲げられて山型の突部１５ｂ，１５ｂ，１５ｂが形成されている。係止バネ１５はツマミ部１５ａ，１５ａを互いに近づけるようになすことにより撓み、前面枠１４の溝部１４ｂに係合する。係止バネ１５が溝部１４ｂに係合した状態にあっては、図１、図４に示すように、係止バネ１５の突部１５ｂ，１５ｂ，１５ｂの頂点部分が付加機能用透光パネル１３を前面側からバネ力でもって押圧する。従って、付加機能用透光パネル１３は前方側に移動することはなく、保護パネル１２の前方側の面に密着する。
【００２４】
以上のようにして構成した照明器具にあっては、係止バネ１５が付加機能用透光パネル１３を押圧して保護パネル１２と付加機能用透光パネル１３とが密着するから、両者の間に空気層がなく、付加機能用透光パネル１３から放熱することができる。
【００２５】
【発明の効果】
本発明の照明器具は上述のように構成してあるから、請求項１記載の発明にあっては、規制凸部の突出方向内側に該規制凸部の前後方向厚みより厚い付加機能用透光パネルを前記保護パネルに接するように配設し、前記規制凸部の前方面近傍に溝部を設けるとともに、前記付加機能用透光パネルを前方側から押圧係止する係止バネを前記溝部に係合配設したので、係止バネが付加機能用透光パネルを押圧して、付加機能用透光パネルと保護パネルとが密着するので、付加機能用透光パネルと保護パネルとの間に空気層がなく、灯具本体内で生じた熱は付加機能用透光パネルからも放熱され、灯具本体の温度上昇を抑制することができるという効果を奏する。
【図面の簡単な説明】
【図１】照明器具の一部破断した側面図である。
【図２】照明器具の要部断面図である。
【図３】係止バネの正面図である。
【図４】照明器具の正面図である。
【図５】照明器具の一部破断した側面図である。
【符号の説明】
９      灯具本体
９ａ    透光開口
１０    ランプ
１２    保護パネル
１３    付加機能用透光パネル
１４    前面枠
１４ａ  規制凸部
１４ｂ  溝部
１５    係止バネ
【図１】
0003755264.tif 000002
【図２】
0003755264.tif 000003
【図３】
0003755264.tif 000004
【図４】
0003755264.tif 000005
【図５】
0003755264.tif 000006